(57)【要約】【課題】建込み作業に用いるクレーンの大型化を抑制することが可能な地下階柱の建込み方法を提供することを課題とする。【解決手段】プレキャストコンクリート製の柱部１１を有する第一柱材１０の少なくとも一部を、地盤に形成した掘削孔１に挿入する第一柱材配置ステップと、プレキャストコンクリート製の筒状部２１を有する第二柱材２０を柱部１１の上側に配置する第二柱材配置ステップと、柱部１１の上端面と筒状部２１の下端面との間に設けた空間および筒状部２１の内空部にコンクリートを打設する連結ステップと、硬化したコンクリートを介して連結された第一柱材１０および第二柱材１０を下降させる下降ステップと、を含むことを特徴とする。【選択図】図３
2010031563.tif 000002
【特許請求の範囲】
【請求項１】
プレキャストコンクリート製の柱部を有する第一柱材の少なくとも一部を、地盤に形成した掘削孔に挿入する第一柱材配置ステップと、
プレキャストコンクリート製の筒状部を有する第二柱材を前記柱部の上側に配置する第二柱材配置ステップと、
前記柱部の上端面と前記筒状部の下端面との間に設けた空間および前記筒状部の内空部にコンクリートを打設する連結ステップと、
硬化した前記コンクリートを介して連結された前記第一柱材および前記第二柱材を下降させる下降ステップと、を含むことを特徴とする地下階柱の建込み方法。
【請求項２】
地盤に形成した掘削孔の開口部近傍に保持架台を設置する架台設置ステップと、
プレキャストコンクリート製の柱部を有する第一柱材の下部を前記掘削孔に挿入するとともに、前記第一柱材を前記保持架台に保持させる第一柱材配置ステップと、
プレキャストコンクリート製の筒状部を有する第二柱材を前記柱部の上側に配置するとともに、前記第二柱材を前記保持架台に保持させる第二柱材配置ステップと、
前記第一柱材および前記第二柱材を前記保持架台に保持させた状態で、前記柱部の上端面と前記筒状部の下端面との間に設けた空間および前記筒状部の内空部にコンクリートを打設する連結ステップと、
硬化した前記コンクリートを介して連結された前記第一柱材および前記第二柱材を下降させる下降ステップと、を含むことを特徴とする地下階柱の建込み方法。
【請求項３】
前記下降ステップでは、前記第二柱材の上方に設けたセンターホールジャッキを利用して、前記第一柱材および前記第二柱材を下降させることを特徴とする請求項１または請求項２に記載の地下階柱の建込み方法。
【請求項４】
請求項１乃至請求項３のいずれか一項に記載の地下階柱の建込み方法により構築した地下階柱。
【発明の詳細な説明】
【技術分野】
【０００１】
本発明は、地下階柱の建込み方法および地下階柱の構造に関する。
【背景技術】
【０００２】
地中構造物（建物の地下階を含む）の柱（以下、「地下階柱」という。）の芯材となる構真柱を地中に設置した後に、構真柱の上部にトップスラブ（先行スラブ）を構築し、その後、トップスラブの下側を掘削して地中構造物を構築する方法（いわゆる逆打ち工法）が知られている。なお、構真柱は、多くの場合、Ｈ形鋼等の鉄骨からなる。
【０００３】
一般的な逆打ち工法では、地盤を掘削して構真柱を露出させた後に、構真柱の周囲にコンクリートを打設することで、地下階柱を構築しているが、構真柱の一部をプレキャストコンクリート部材に置き換え、コンクリートの打設作業を簡略化した逆打ち工法も知られている（特許文献１〜３参照）。
【０００４】
【特許文献１】特開昭６２−８６２４２号公報
【特許文献２】特開昭６３−６７３４４号公報
【特許文献３】特開平８−６８０５７号公報
【発明の開示】
【発明が解決しようとする課題】
【０００５】
特許文献１〜３の逆打ち工法では、トップスラブから基礎杭の上部に達する柱材を地上で真直ぐに立ち上げたうえで、当該柱材を掘削孔に建て込む必要があるので、地下階の深度が大きくなるにつれて柱材が長尺化し、運搬や取り回しが困難になる虞がある。また、特許文献１〜３の柱材は、コンクリート部を含んでいるので、鉄骨からなる構真柱に比べて重量が嵩んでしまう。重量が嵩むと、建込み作業に使用するクレーンを大型化する必要があるので、機材費の増加を招く虞があるし、大型のクレーンを設置できない狭隘な施工現場や空頭制限のある施工現場においては、施工不能になる虞もある。
【０００６】
このような観点から、本発明は、プレキャストコンクリート部材を利用した地下階柱の建込み方法および地中構造物の構築方法であって、建込み作業に用いるクレーンの大型化を抑制することが可能な地下階柱の建込み方法および地下階柱を提供することを課題とし、さらには、大型のクレーンを設置できないような施工現場や空頭制限のあるような施工現場でも実施することが可能な地下階柱の建込み方法および地下階柱を提供することを課題とする。また、コンクリート水平打継箇所の上端に脆弱部が形成され難い地下階柱の建込み方法および地下階柱を提供することを課題する。
【課題を解決するための手段】
【０００７】
本発明に係る第一の地下階柱の建込み方法は、プレキャストコンクリート製の柱部を有する第一柱材の少なくとも一部を、地盤に形成した掘削孔に挿入する第一柱材配置ステップと、プレキャストコンクリート製の筒状部を有する第二柱材を前記柱部の上側に配置する第二柱材配置ステップと、前記柱部の上端面と前記筒状部の下端面との間に設けた空間および前記筒状部の内空部にコンクリートを打設する連結ステップと、硬化した前記コンクリートを介して連結された前記第一柱材および前記第二柱材を下降させる下降ステップと、を含むことを特徴とする。
【０００８】
また、本発明に係る第二の地下階柱の建込み方法は、地盤に形成した掘削孔の開口部近傍に保持架台を設置する架台設置ステップと、プレキャストコンクリート製の柱部を有する第一柱材の下部を前記掘削孔に挿入するとともに、前記第一柱材を前記保持架台に保持させる第一柱材配置ステップと、プレキャストコンクリート製の筒状部を有する第二柱材を前記柱部の上側に配置するとともに、前記第二柱材を前記保持架台に保持させる第二柱材配置ステップと、前記第一柱材および前記第二柱材を前記保持架台に保持させた状態で、前記柱部の上端面と前記筒状部の下端面との間に設けた空間および前記筒状部の内空部にコンクリートを打設する連結ステップと、硬化した前記コンクリートを介して連結された前記第一柱材および前記第二柱材を下降させる下降ステップと、を含むことを特徴とする。
【０００９】
要するに本発明は、第一柱材の少なくとも一部を掘削孔に建て込んだ後に、第一柱材の上側に第二柱材を配置し、第一柱材および第二柱材を立てた状態で連結するところに特徴がある。
【００１０】
本発明によると、第一柱材および第二柱材の長さ寸法が、構築すべき地下階柱の高さ寸法よりも小さくなるので、運搬や現場での取り回しが容易になる。また、大型のクレーンを使用せずとも第一柱材および第二柱材の建込み作業を行なうことが可能になるので、大型のクレーンを設置できないような施工現場や空頭制限のあるような施工現場でも逆打ち工法を実施することが可能になる。さらに、本発明では、第一柱材の柱部と第二柱材の筒状部との間の空間（以下、「ジョイント空間」という。）だけでなく、ジョイント空間に繋がる筒状部の内空部にもコンクリートを打設することとしたので、ブリージングが発生したとしても、気泡や浮き水が型枠側に押し出され、その結果、現場打ちコンクリートと筒状部の下端面との間に脆弱部が発生し難くなる。
【００１１】
なお、第二の地下階柱の建込み方法は、第一の地下階柱の特徴点に加えて、掘削孔の開口部近傍に設置した保持架台で第一柱材および第二柱材を保持するところにも特徴がある。このようにすると、クレーンに掛かる負荷を低減することが可能になるので、クレーンの小型化を図ることが可能になる。
【００１２】
下降ステップでは、前記第二柱材の上方に設けたセンターホールジャッキを利用して前記第一柱材および前記第二柱材を下降させてもよい。このようにすると、クレーンを使用せずとも第一柱材および第二柱材を掘削孔に建て込むことが可能になるので、機材費を削減することが可能になる。
【００１３】
本発明に係る地下階柱は、前記した本発明に係る地下階柱の建込み方法により構築された地下階柱である。なお、この地下階柱には、トップスラブより下にある柱であれば、空中に一部が露出される場合（傾斜地に構築する場合等）も含まれている。
【発明の効果】
【００１４】
本発明によれば、逆打ち工法を行う際に、地下階柱の建込み作業に用いるクレーンの大型化を抑制することが可能になり、さらには、大型のクレーンを設置できないような施工現場や空頭制限のあるような施工現場でも逆打ち工法を実施することが可能となる。また、本発明によれば、コンクリート水平打継箇所の上端に脆弱部が形成され難くなる。
【発明を実施するための最良の形態】
【００１５】
添付した図面を参照しつつ、本発明を実施するための最良の形態の一例を詳細に説明する。なお、以下の実施形態では、ビル等の地下階を構築する場合を例示するが、本発明の適用対象を限定する趣旨ではない。
【００１６】
まず、逆打ち工法による地中構造物の構築方法について説明する。地中構造物の構築方法は、地下階柱設置工程（図１の（ａ）参照）と、トップスラブ構築工程（図１の（ｂ）参照）と、地下中間階構築工程（図１の（ｃ）参照）と、基礎躯体構築工程（図２の（ａ）および（ｂ）参照）とを含むものである。
【００１７】
地下階柱設置工程は、図１の（ａ）に示すように、地下階柱Ｐを地盤中に設置する工程である。本実施形態の地下階柱設置工程には、支持地盤（図示略）に達する掘削孔１を形成する工程（削孔工程）、基礎杭２用の鉄筋籠（図示略）を掘削孔１に建て込む工程（鉄筋籠挿入工程）、地下階柱Ｐを掘削孔１に建て込む工程（建込み工程）、基礎杭２用のコンクリートを打設する工程（杭用コンクリート打設工程）、地下階柱Ｐの下部の周囲に硬質粒状材料（砕石、高炉スラグ、ゴミ溶融スラグ、コンクリート片等）３を投入する工程（下部埋戻し工程）、掘削土などの埋戻材４を硬質粒状材料３の上側に投入する工程（上部埋戻し工程）などが含まれている。
【００１８】
なお、地下階柱Ｐは、プレキャスト化された複数の柱材を上下方向に連設して構成したものである。地下階柱Ｐの構成および建込み工程（本実施形態に係る地下階柱の建込み方法）の詳細は、後述する。
【００１９】
トップスラブ構築工程は、図１の（ｂ）に示すように、建物１階の床スラブとなるトップスラブＳ１を構築し、このトップスラブＳ１を地下階柱Ｐ，Ｐに支持させる工程である。本実施形態のトップスラブ構築工程には、土留壁Ｗ，Ｗの内側において地盤を所定深さまで掘削する工程（一次掘削工程）、トップスラブＳ１用の型枠や鉄筋（図示略）を配置する工程、型枠内にコンクリートを打設する工程などが含まれている。なお、本実施形態のトップスラブＳ１は、隣り合う地下階柱Ｐ，Ｐの上端部同士を繋ぐ大梁Ｈ１と一体に形成され、大梁Ｈ１を介して地下階柱Ｐ，Ｐに支持される。トップスラブＳ１は、トップスラブ構築工程以後の工程を行う際の作業床となる。
【００２０】
地下中間階構築工程は、図１の（ｃ）に示すように、地下中間階の床スラブとなる中間スラブＳ２や地下階柱Ｐ，Ｐの中間部同士を繋ぐ大梁Ｈ２などを構築する工程である。本実施形態の地下中間階構築工程には、トップスラブＳ１の下側の地盤を中間スラブＳ２や大梁Ｈ２の構築予定位置の下側まで掘削する工程（二次掘削工程）、中間スラブＳ２用の型枠や鉄筋（図示略）を配置する工程、型枠内にコンクリートを打設する工程などが含まれている。
【００２１】
なお、地下中間階を構築しない場合には、地下中間階構築工程を省略し、複数の地下中間階を構築する場合には、地下中間階構築工程を繰り返せばよい。また、中間スラブＳ２や大梁Ｈ２は、地下躯体Ｂ（図２の（ｂ）参照）を構築した後に構築してもよい。
【００２２】
基礎躯体構築工程は、図２の（ａ）および（ｂ）に示すように、トップスラブＳ１の下方に基礎躯体Ｂを構築する工程である。本実施形態の基礎躯体構築工程には、中間スラブＳ２の下側の地盤を基礎躯体Ｂの構築予定位置の下側まで掘削する工程（三次掘削工程）、地下階柱Ｐの下部の周囲に投入されていた硬質粒状材料３（図１の（ａ）参照）を床付面上に敷き均して下地層５を形成する工程、下地層５上に均しコンクリート６を打設する工程、均しコンクリート６上に基礎躯体Ｂ用の型枠や鉄筋を配置する工程、均しコンクリート６上や型枠内に基礎躯体Ｂ用のコンクリートを打設する工程などが含まれている。なお、図示は省略するが、本実施形態の基礎躯体Ｂは、隣り合う基礎杭２，２の上端部同士を繋ぐ基礎梁と、最下階の床スラブと、を具備している。
【００２３】
地中構造物の構築方法は、以上のような工程を含むものであり、上記各工程を経ることで、地中構造物（地下階）を構築することができる。
【００２４】
次に、図３を参照して本実施形態に係る地下階柱Ｐの構成を詳細に説明する。なお、図３においては、掘削孔１、硬質粒状材料３および埋戻材４（図１の（ａ）参照）の図示を省略している。
【００２５】
図３の（ａ）に示すように、地下階柱Ｐは、基礎杭２の杭頭部に植設される第一柱材１０と、この第一柱材１０の上方に配置される第二柱材２０と、第一柱材１０および第二柱材の間の空間（以下、「ジョイント空間」という。）および第二柱材２０の内空部に形成されたコンクリート部３０とを具備している。
【００２６】
第一柱材１０は、プレキャストコンクリート製の柱部１１と、この柱部１１に植設された仮設柱１２と、この仮設柱１２の下端に接続された杭芯部材１３とを具備している。
【００２７】
柱部１１は、中実な断面を備えた鉄筋コンクリート部材である（図３の（ｃ）参照）。柱部１１の上端は、中間スラブＳ２を支える大梁Ｈ２（図２の（ｂ）参照）の下端よりも下側に位置している。また、柱部１１の下端は、基礎躯体Ｂ（図２の（ｂ）参照）の天端よりも若干下側に位置している。つまり、柱部１１の下端は、基礎躯体Ｂの上層部に埋め込まれることになる。
【００２８】
柱部１１の主筋１１ａ，１１ａ，…は、柱部１１のコンクリート部分を貫通しており、柱部１１の上下に突出している。図示は省略するが、柱部１１のコンクリート部分の上端面から各主筋１１ａを突出させる代わりに、コンクリート部分の上端部にインサート金物を埋設しておき、コンクリート部分に埋設した主筋とは別の主筋（例えば、筒状部２１の主筋２１ａ）をインサート金物に接続してもよい。同様に、柱部１１のコンクリート部分の下端面から各主筋１１ａを突出させる代わりに、コンクリート部分の下端部にインサート金物を埋設しておき、コンクリート部分に埋設した主筋とは別の主筋をインサート金物に接続してもよい。柱部１１を構成するコンクリートの種類に制限はないが、本実施形態では、設計基準強度が６０Ｍｐａ以上の高強度コンクリートを使用する。
【００２９】
仮設柱１２は、柱部１１の軸心に沿って配置された鉄骨（Ｈ形鋼）からなる。仮設柱１２の上半部は柱部１１に埋設されており、仮設柱１２の下半部は柱部１１の下面から下方に向って延出している。また、仮設柱１２の上半部の外周面には、多数のジベルが突設されている。仮設柱１２の下半部（柱部１１から突出した部分）は、地盤を掘り下げた際に一旦露出するが、最終的には基礎躯体Ｂ（図２の（ｂ）参照）に埋設される。なお、本実施形態では、Ｈ形鋼からなる仮設柱１２を例示したが、仮設柱１２の構成を限定する趣旨ではない。
【００３０】
杭芯部材１３は、仮設柱１２と同軸に設けられた断面十字状の鉄骨からなり、仮設柱１２の下端面から下方に向って延出している。杭芯部材１３の下部は、基礎杭２の杭頭部に埋設される。杭芯部材１３の上部は、地盤を掘り下げた際に一旦露出するが、最終的には基礎躯体Ｂに埋設される。なお、本実施形態では、断面十字状の鉄骨からなる杭芯部材１３を例示したが、杭芯部材１３の構成を限定する趣旨ではない。
【００３１】
第二柱材２０は、プレキャストコンクリート製の筒状部２１を具備している。本実施形態では、筒状部２１のみを具備する第二柱材２０を例示するが、第二柱材２０の構成を限定する趣旨ではない。
【００３２】
筒状部２１は、断面ロ字状を呈する鉄筋コンクリート部材であり（図３の（ｂ）参照）、柱部１１の上方に配置されている。筒状部２１の上端はトップスラブＳ１を支える大梁Ｈ１（図２の（ｂ）参照）の下端と一致しており、筒状部２１の下端は中間スラブＳ２を支える大梁Ｈ２（図２の（ｂ）参照）の下端と一致している。
【００３３】
筒状部２１の内空部（中空部）は、筒状部２１の全長に亘って形成されており、筒状部２１の下端面と上端面とに開口している。本実施形態の筒状部２１の内空部は、断面矩  形を呈しているが（図３の（ｂ）参照）、他の断面形状（断面円形や断面多角形）であっても差し支えない。なお、図示は省略しているが、筒状部２１の上端部には、地上階の柱から延びる主筋を挿入するためのインサート金物が埋設されており、筒状部２１の下端部の側面には、大梁Ｈ２から延びる梁主筋を挿入するためのインサート金物が埋設されている。
【００３４】
筒状部２１の主筋２１ａは、筒状部２１の下側に突出していて、柱部１１の主筋１１ａに接続されている。図示は省略するが、筒状部２１のコンクリート部分の下端面から各主筋２１ａを突出させる代わりに、コンクリート部分の下端部にインサート金物を埋設しておき、コンクリート部分に埋設した主筋とは別の主筋（例えば、柱部１１の主筋１１ａ）をインサート金物に接続してもよい。筒状部２１を構成するコンクリートの種類に制限はないが、本実施形態では、設計基準強度が６０Ｍｐａ以上の高強度コンクリートを使用する。
【００３５】
コンクリート部３０は、現場打ちコンクリートからなる部位であって、柱部１１の上端面と筒状部２１の下端面との間に設けたジョイント空間および筒状部２１の内空部に形成されている。コンクリートの配合や強度等に制限はないが、柱部１１および筒状部２１と同程度の設計基準強度を有する高強度コンクリートを使用することが望ましい。
【００３６】
次に、図４〜７を参照して地下階柱設置工程の一工程である地下階柱Ｐの建込み工程（本実施形態に係る地下階柱の建込み方法）を詳細に説明する。
【００３７】
地下階柱Ｐの建込み工程は、地下階柱設置工程の一工程である鉄筋籠挿入工程の後に行われる工程であって、架台設置ステップ（図４の（ａ）参照）と、第一柱材配置ステップ（図４の（ｂ）参照）と、架台増設ステップ（図５の（ａ）参照）と、第二柱材配置ステップ（図５の（ｂ）参照）と、連結ステップ（図６参照）と、移動ステップ（図７参照）とを含むものである。
【００３８】
架台設置ステップは、図４の（ａ）に示すように、地盤に形成した掘削孔１の開口部近傍に保持架台４０を設置する工程である。本実施形態の保持架台４０は、第一柱材１０を保持する基台部４１と、第二柱材２０を保持する架構部４２（図５参照）とを備えて構成されているが、本実施形態の架台設置ステップでは、保持架台４０の一部（基台部４１）のみを設置する。基台部４１の構成に制限はないが、本実施形態のものは、掘削孔１の開口縁部に載置されるリング状の鋼材からなる。なお、図示は省略するが、例えば、複数の鉄骨等を井桁状に組み合わせたものを基台部４１としてもよい。
【００３９】
第一柱材配置ステップは、図４の（ｂ）に示すように、第一柱材１０の下部を掘削孔１に挿入するとともに、第一柱材１０を保持架台４０に保持させる工程である。本実施形態では、第一柱材１０のうち、柱部１１の下半部、仮設柱１２および杭芯部材１３を掘削孔１に挿入し、柱部１１の上端部を地上に露出させている。第一柱材１０を建て込む際には、例えば、作業ヤード等に横たえていた第一柱材１０を図示せぬクレーン等で立ち上げつつ吊り上げ、立てた状態の第一柱材１０を掘削孔１の上方に移動させた後（図４の（ａ）参照）、掘削孔１の底部に向けて第一柱材１０を吊り下ろし、第一柱材１０の側面に付設したブラケット１５を基台部４１の上面に載置すればよい。図示は省略するが、基台部４１とブラケット１５との間にジャッキ等の高さ調整手段を介設しておき、この高さ調整手段を利用して第一柱材１０の高さ位置を調整してもよい。
【００４０】
架台増設ステップは、図５の（ａ）に示すように、基台部４１に架構部４２を増設するステップである。架構部４２の構成に制限はないが、本実施形態のものは、基台部４１の上面に立設される支柱４１ａ，４１ａ，…と、支柱４１ａ，４１ａ，…の高さ方向の中間部に設けられた連結部材４１ｂと、支柱４１ａ，４１ａ，…の上端部に設けられた支持部材４１ｃと、を備えている。支柱４１ａは、鋼管や鉄骨からなり、連結部材４１ｂおよび支持部材４１ｃは、リング状の鋼材からなる。
【００４１】
第二柱材配置ステップは、図５の（ｂ）に示すように、第二柱材２０を柱部１１の上側に配置するとともに、第二柱材２０を保持架台４０に保持させるステップである。第二柱材２０を建て込む際には、例えば、作業ヤード等に横たえていた第二柱材２０を図示せぬクレーン等で立ち上げつつ吊り上げ、立てた状態の第二柱材２０を第一柱材１０の上方に移動させた後（図５の（ａ）参照）、第一柱材１０に向けて第二柱材２０を吊り下ろし、第二柱材２０の側面に付設したブラケット２５を支持部材４１ｃの上面に載置すればよい。第二柱材２０の水平位置は、保持架台４０に取り付けたジャッキ４３を利用して調整する。具体的には、例えば、第二柱材２０の前後左右の四箇所にジャッキ４３を配置し、第二柱材２０を挟んで対向する一対のジャッキ４３，４３を適宜伸縮させることで、第二柱材２０の水平位置を調整するとよい。図示の形態においては、ジャッキ４３のヘッドをブラケット２５に押し付けているが、筒状部２１の側面に直接押し付けてもよい。なお、図示は省略するが、支持部材４１ｃとブラケット２５との間にジャッキ等の高さ調整手段を介設しておき、この高さ調整手段を利用して第二柱材２０の高さ位置を調整してもよい。
【００４２】
第二柱材配置ステップを行ないながら、もしくは、第二柱材配置ステップを行なった後に、柱部１１の主筋１１ａと筒状部２１の主筋２１ａとを鉄筋継手３１で連結する。鉄筋継手３１の種類に制限はなく、重ね継手、ガス圧接継手、機械式継手、溶接式継手などの中から適宜なものを選択すればよい。
【００４３】
連結ステップは、図６の（ａ）および（ｂ）に示すように、第一柱材１０および第二柱材２０を保持架台４０に保持させた状態で、ジョイント空間Ｖ１および筒状部２１の内空部Ｖ２にコンクリートを打設するステップである。すなわち、連結ステップは、第一柱材１０および第二柱材２０を上下に連設した状態で、コンクリート部３０となるコンクリートを打設するステップである。なお、コンクリートの打設に先立って、ジョイント空間Ｖ１の周囲に型枠３２を設置する。コンクリートを打設する際には、筒状部２１の内空部Ｖ２の上側の開口部からコンクリートを投入するか、あるいは、内空部Ｖ２に挿通した圧送配管を利用するなどして、まず、ジョイント空間Ｖ１にコンクリートを充填し、ジョイント空間Ｖ１内のコンクリートが固まらないうちに内空部Ｖ２にコンクリートを充填する。
【００４４】
下降ステップは、図７の（ｂ）に示すように、硬化したコンクリートおよび主筋１１ａ，２１ａを介して連結された第一柱材１０および第二柱材２０（本実施形態では地下階柱Ｐ）を下降させるステップである。本実施形態の下降ステップでは、第二柱材２０の上方に設けたセンターホールジャッキ５０を利用して、第一柱材１０および第二柱材２０を下降させる。センターホールジャッキ５０は、下降機能（センターホールジャッキ５０に挿通されたロッド５１を下方向へ送り出す機能）を具備するものであり、保持架台４０上に設けられたジャッキ架台５２に保持されている。なお、本実施形態では、第二柱材２０の上端に取り付けたヤットコ（延長治具）６０にロッド５１を接続する。第一柱材１０および第二柱材２０を下降させる場合には、図７の（ａ）に示すように、ロッド５１の下端部をヤットコ６０の上端部に接続するとともに、ロッド５１の中間部をセンターホールジャッキ５０で保持し、かかる状態でブラケット１５，２５を取り外す。ブラケット１５，２５を取り外すと、地下階柱Ｐがヤットコ６０およびロッド５１を介してセンターホールジャッキ５０に保持される。センターホールジャッキ５０を操作してロッド５１を下方向へ送り出すと、図７の（ｂ）に示すように、地下階柱Ｐが掘削孔１の深部（底部）へ向かって移動する。
【００４５】
なお、図示は省略するが、第二柱材２０の上側にさらに別の柱材を連設する場合には、第二柱材２０を基台部４１に保持させ、第二柱材２０を「第一柱材」とみなすとともに、追加する柱材を「第二柱材」とみなして、第二柱材配置ステップ、連結ステップおよび下降ステップを繰り返せばよい。
【００４６】
地下階柱Ｐを所定の深度まで下降させたら、ヤットコ６０の側面に付設した図示せぬブラケットを基台部４１の上面に載置し、センターホールジャッキ５０を取り外す。その後、建込み工程に続く杭用コンクリート打設工程（地下階柱設置工程の一工程）を行い、杭芯部材１３の下部を基礎杭２の杭頭部に埋設する（図３の（ａ）参照）。地下階柱Ｐの水平位置等は、基礎杭２用のコンクリートを打設する前もしくは後に図示せぬジャッキ等を用いて調整する。基礎杭２用のコンクリートが所定の強度に達したら、下部埋戻し工程および上部埋戻し工程などを行う。
【００４７】
以上説明した地下階柱Ｐの建込み工程（本実施形態に係る地下階柱の建込み方法）によれば、第一柱材１０および第二柱材２０の長さ寸法が地下階柱Ｐの高さ寸法よりも小さくなるので、運搬や現場での取り回しが容易になる。また、第一柱材１０および第二柱材２０を別体としておき、別々に保持架台４０に据え付けることとしたので、大型のクレーンを使用せずとも第一柱材１０および第二柱材２０の建込み作業を行なうことができ、したがって、大型のクレーンを設置できないような狭隘な施工現場や空頭制限のあるような施工現場でも逆打ち工法を実施することが可能になる。
【００４８】
また、本実施形態では、ジョイント空間Ｖ１だけでなく、ジョイント空間Ｖ１に繋がる筒状部２１の内空部Ｖ２にもコンクリートを打設することとしたので、ジョイント空間Ｖ１に打設したコンクリートには、内空部Ｖ２に打設したコンクリートの重量が作用することになる。ジョイント空間Ｖ１に打設したコンクリートを適宜な圧力下で硬化させれば、ブリージングが発生したとしても、気泡や浮き水が型枠側に押し出され、その結果、ジョイント空間Ｖ１に打設したコンクリートと筒状部２１の下端面との間に脆弱部が発生し難くなる。
【００４９】
また、本実施形態では、第一柱材１０および第二柱材２０を保持架台４０で保持した状態でコンクリート部３０を形成し、保持架台４０に据え付けたセンターホールジャッキ５０を利用して地下階柱Ｐを下降させることとしたので、大型のクレーンが不要になり、ひいては、機材費の削減を図ることが可能になる。
【００５０】
なお、前記した地下階柱Ｐの建込み工程は、適宜変更しても差し支えない。例えば、前記した実施形態では、第一柱材１０を建て込む前に保持架台４０の一部（基台部４１）を設置し、第二柱材２０を建て込む前に保持架台４０の残部（架構部４２）を設置する場合を例示したが、第一柱材１０を建て込む前に基台部４１と架構部４２とを設置してもよい。
【００５１】
また、前記した実施形態では、保持架台４０の架構部４２に第二柱材２０を保持させた状態でコンクリート部３０を形成した場合を例示したが（図６参照）、架構部４２を省略し、クレーン等で第二柱材２０を吊り下げた状態でコンクリート部３０を形成してもよい。
【００５２】
また、前記した実施形態では、センターホールジャッキ５０を利用して地下階柱Ｐを下降させる場合を例示したが（図７参照）、クレーン等を利用して地下階柱Ｐを下降させてもよい。
【図面の簡単な説明】
【００５３】
【図１】（ａ）〜（ｃ）は、本発明の一実施形態に係る地中構造物の構築方法を説明するための模式的な断面図である。
【図２】（ａ）および（ｂ）は、図１の（ｃ）に続く工程を説明するための模式的な断面図である。
【図３】（ａ）は地下階柱の断面図、（ｂ）は（ａ）のＸ−Ｘ線断面図、（ｃ）は（ａ）のＹ−Ｙ線断面図である。
【図４】（ａ）および（ｂ）は本発明の一実施形態に係る地下階柱の建込み方法を説明するための模式的な断面図である。
【図５】（ａ）および（ｂ）は、図４の（ｂ）に続く工程を説明するための模式的な断面図である。
【図６】（ａ）および（ｂ）は、図５の（ｂ）に続く工程を説明するための模式的な断面図である。
【図７】（ａ）および（ｂ）は、図６の（ｂ）に続く工程を説明するための模式的な断面図である。
【符号の説明】
【００５４】
１    掘削孔
Ｐ    地下階柱
１０  第一柱材
１１  柱部
２０  第二柱材
２１  筒状部
３０  コンクリート部
４０  保持架台
５０  センターホールジャッキ
【図１】
2010031563.tif 000003
【図２】
2010031563.tif 000004
【図３】
2010031563.tif 000005
【図４】
2010031563.tif 000006
【図５】
2010031563.tif 000007
【図６】
2010031563.tif 000008
【図７】
2010031563.tif 000009